(57)【要約】【課題】制動性能を維持しながら、車両の転覆防止性能を向上させることができる空気入りタイヤを提供する。【解決手段】一対のビード部３と、ビード部３から各々タイヤ径方向外側に延びるサイドウォール部２と、サイドウォール部２間に設けたトレッド部１とを備える装着方向が指定される空気入りタイヤにおいて、前記トレッド部１の車両装着時の内側には、ラウンドショルダー１ａが形成され、車両装着時の外側には段差部２０を有することで段差部２０の外側を非接地部２３とした段付きショルダー１ｂが形成され、段差部２０とトレッド面１ｃとの境界２１を、タイヤ最大幅Ｗを基準としたトレッド中央Ｃからの距離として、前輪装着条件におけるラウンドショルダー側の接地端ＴＥｉまでの距離Ｄ１の９３〜１１０％の距離Ｄ２に配置してある。【選択図】    図１
2007331529.tif 000002
【特許請求の範囲】
【請求項１】
一対のビード部と、そのビード部から各々タイヤ径方向外側に延びるサイドウォール部と、そのサイドウォール部間に設けたトレッド部とを備え、装着方向が指定される空気入りタイヤにおいて、
前記トレッド部の車両装着時の内側には、ラウンドショルダーが形成され、車両装着時の外側には段差部を有することで段差部の外側を非接地部とした段付きショルダーが形成されており、
前記段差部とトレッド面との境界を、タイヤ最大幅を基準としたトレッド中央からの距離として、前輪装着条件における前記ラウンドショルダー側の接地端までの距離の９３〜１１０％の距離に配置してあることを特徴とする空気入りタイヤ。
【請求項２】
前記段差部とトレッド面との境界付近が、スクエアショルダーによって形成されている請求項１記載の空気入りタイヤ。
【請求項３】
前記トレッド部のトレッドゴムが少なくとも２分割され、車両装着時の最も内側に配されるトレッドゴムの損失正接（ｔａｎδ）が０．２５〜０．４５であり、車両装着時の最も外側に配されるトレッドゴムの損失正接（ｔａｎδ）が０．０９〜０．２５である請求項１又は２に記載の空気入りタイヤ。
【請求項４】
トレッド表面におけるトレッドゴムの分割位置が、タイヤ最大幅を基準としたトレッド中央より外側に５ｍｍの位置から、前記段差部とトレッド面との境界より内側に２０ｍｍの位置の範囲内に配置される請求項３記載の空気入りタイヤ。
【発明の詳細な説明】
【技術分野】
【０００１】
本発明は、車両の転覆防止性能を向上させるべく非対称のトレッドを採用した、装着方向指定型の空気入りタイヤに関する。
【背景技術】
【０００２】
近年、経済性や取扱い易さなどの理由から、いわゆるコンパクトカーと呼ばれる小型乗用車の需要が高まっている。コンパクトカーは、車幅が小さい割に車高が高いため、コーナリング時に高速旋回すると、転覆の可能性があり、装着される空気入りタイヤに対して、転覆防止性能が求められている。
【０００３】
転覆防止性能を向上させるには、一般的に、コーナリングフォースの最大値（ＣＦｍａｘ）を低減したり、車両前輪の装着条件でのＣＦｍａｘ値に対し車両後輪の装着条件でのＣＦｍａｘ値を高くする手法が採られている。
【０００４】
前者のようにＣＦｍａｘ値を低減するには、トレッドゴムのμ値（摩擦係数）を低下させるのが効果的であるが、背反性能として、制動性が低下するという問題が生じる。後者の手法では、車両前輪の装着条件でのＣＦｍａｘ値と車両後輪の装着条件でのＣＦｍａｘ値の比率が、タイヤサイズに起因する所が大きく、その他の要素で比率を変化させるのは、一般に困難である。
【０００５】
一方、従来より、トレッドゴムを車両装着時の内側と外側とに分割して、両者のゴム硬度を変えた空気入りタイヤが知られており、例えば、下記の特許文献１には、摩擦係数（μ値）のより大きい高硬度ゴムを分割トレッドの外側に配する点が開示されている。しかし、摩擦係数（μ値）のより大きい高硬度ゴムを分割トレッドの外側に設ける場合、転覆防止性能の向上には、逆効果であることが判明した。
【０００６】
また、下記の特許文献２には、トレッド表面に形成されたセカンドリブ（中央側）とショルダーリブ（外側）との間に段差を設けて、高速耐久性を向上させた空気入りタイヤが提案されている。しかし、このタイヤでは、キャンバー角によって高速走行時にタイヤの内側ショルダーの接地圧が局所的に高くなるのを、表面を高く設定したセカンドリブで抑制しており、接地圧の分散によって、転覆防止性能の向上には逆効果になることが判明した。
【０００７】
なお、角張った接地端形状を有する、いわゆるスクエアショルダーは、従来、接地幅を増加させるために採用されており、接地幅を狭めるために、スクエアショルダーを採用した例は、現在まで知られていなかった。
【０００８】
【特許文献１】特開平１１−３２１２３７号公報
【特許文献２】特開２０００−２３８５０６号公報
【発明の開示】
【発明が解決しようとする課題】
【０００９】
そこで、本発明の目的は、制動性能を維持しながら、車両の転覆防止性能を向上させることができる空気入りタイヤを提供することにある。
【課題を解決するための手段】
【００１０】
上記目的は、下記の如き本発明により達成できる。      
即ち、本発明の空気入りタイヤは、一対のビード部と、そのビード部から各々タイヤ径方向外側に延びるサイドウォール部と、そのサイドウォール部間に設けたトレッド部とを備え、装着方向が指定される空気入りタイヤにおいて、前記トレッド部の車両装着時の内側には、ラウンドショルダーが形成され、車両装着時の外側には段差部を有することで段差部の外側を非接地部とした段付きショルダーが形成されており、前記段差部とトレッド面との境界を、タイヤ最大幅を基準としたトレッド中央からの距離として、前輪装着条件における前記ラウンドショルダー側の接地端までの距離の９３〜１１０％の距離に配置してあることを特徴とする。
【００１１】
本発明において、前輪装着条件とは、タイヤの内圧を２３０ｋＰａとし、タイヤサイズに応じて最大負荷荷重の７０％の荷重を垂直方向に負荷した条件を指す。また、タイヤ最大幅は、適用リムに装着し、規定の空気圧とし、無負荷状態で測定した軸方向の最大幅を指す。
【００１２】
本発明の空気入りタイヤによると、トレッド部の車両装着時の外側には、段差部を有することで段差部の外側を非接地部とした段付きショルダーが形成されているため、車両装着時の外側の接地端を、ラウンドショルダーに比べて内側に設定することができる。一方、図２（ａ）に示すように、従来の対称トレッドのタイヤでは、前輪装着条件において、ラウンドショルダー側（内側）の接地端ＴＥｉと外側の接地端ＴＥｏとは、タイヤ最大幅を基準としたトレッド中央Ｃからの距離が略同じになる。図２（ｂ）に示すように、点線で囲まれた前輪装着条件における接地面は、コーナリング時に外側に大きく膨らみ、実線で囲まれた接地面形状となる（斜線部が面積増加部）。このような接地面によってタイヤのグリップ力が生じるが、本発明のように、段差部２０とトレッド面１ｃとの境界２１を、タイヤ最大幅を基準としたトレッド中央Ｃからの距離として、前輪装着条件におけるラウンドショルダー側の接地端ＴＥｉまでの距離Ｄ１の９３〜１１０％の距離Ｄ２に配置することで、図２（ｃ）に示すように、コーナリング時の接地面積を小さくすることができ（接地端ＴＥｏ１がＴＥｏ２に移動）、その分グリップ力を低下させることで、車両の転覆防止性能を向上させることができる。しかも、この範囲に境界２１を設けた場合、直進走行や制動時に接地面積が変化しにくく、また、トレッド部の車両装着時の内側には、ラウンドショルダーが形成されているため、制動性能を十分維持することができる。
【００１３】
上記において、前記段差部とトレッド面との境界付近が、スクエアショルダーによって形成されていることが好ましい。スクエアショルダーによると、段差部とトレッド面との境界を明確に形成することができ、コーナリング時の接地面積をより確実に低減することができる。
【００１４】
また、前記トレッド部のトレッドゴムが少なくとも２分割され、車両装着時の最も内側に配されるトレッドゴムの損失正接（ｔａｎδ）が０．２５〜０．４５であり、車両装着時の最も外側に配されるトレッドゴムの損失正接（ｔａｎδ）が０．０９〜０．２５であることが好ましい。本発明における各種の物性値等は、具体的には実施例に記載の測定方法で測定される値である。
【００１５】
このように従来のトレッドゴムより低い損失正接を有するトレッドゴムを外側に配することにより、従来より低いμ値となり、図２（ｃ）に示すようなコーナリング時の接地面積が増加した部分において、μ値の低下によりグリップ力を低下させることができる。また、コーナリング時の接地面積内で低いμ値のゴムが占める接地面積の割合が、低荷重に比べて高荷重で多くなるため、後輪荷重ＣＦｍａｘ／前輪荷重ＣＦｍａｘを向上させることができ、車両の転覆防止性能を更に向上させることができる。しかも、従来のトレッドゴムより高い損失正接を有するトレッドゴムを内側に配することにより、従来より高いμ値となり、トレッド全体のμ値をある程度維持することができるため、制動性能を十分維持することができる。
【００１６】
また、トレッド表面におけるトレッドゴムの分割位置が、タイヤ最大幅を基準としたトレッド中央より外側に５ｍｍの位置から、前記段差部とトレッド面との境界より内側に２０ｍｍの位置の範囲内に配置されることが好ましい。
【００１７】
分割位置をこの範囲に設定することによって、図２（ｃ）に示すようなコーナリング時の接地面積が増加した部分に対して、効果的にμ値を低下させることができ、グリップ力の低下による車両の転覆防止性能を更に向上させることができる。
【発明を実施するための最良の形態】
【００１８】
以下、本発明の実施の形態について、図面を参照しながら説明する。図１は本発明の空気入りタイヤの一例を示す子午線断面図であり、図３は本発明の空気入りタイヤのトレッドパターンの一例を示す平面図である。
【００１９】
本発明の空気入りタイヤは、図１に示すように、一対のビード部３と、ビード部３から各々タイヤ径方向外側に延びるサイドウォール部２と、サイドウォール部２間に設けたトレッド部１とを備えるものである。このような構造は、従来の空気入りタイヤと同じであり、トレッド部１以外については、従来公知の材料、構造、製法をいずれも採用することができる。
【００２０】
例えば、一対のビード部３の間にはカーカス層６が架け渡されるように配される。カーカス層６はポリエステル等のコードをゴム引きした１層から形成されたラジアルカーカスであり、カーカス層６の外側にはゴム層が形成される。また、チューブレスタイヤでは最内層にインナーライナー層４が形成される。カーカス層６のタイヤ径方向外側には、たが効果による補強を行うベルト層５が配置され、そのベルト層５のタイヤ径方向外側にトレッド部１が形成される。ベルト層５はタイヤ赤道線Ｃに対して約２０°の傾斜角度で平行配列したスチールコードをゴム引きした２層を、スチールコードがタイヤ赤道線Ｃを挟んで交差するように積層して形成される。また、ベルト層５を覆うように、コードがタイヤ周方向に配列するベルト補強層を設けてもよい。
【００２１】
本発明の空気入りタイヤは、図１に示すように、前記トレッド部１の車両装着時の内側には、ラウンドショルダー１ａが形成され、車両装着時の外側には段差部２０を有することで段差部２０の外側を非接地部２３とした段付きショルダー１ｂが形成されている。本実施形態では、段差部２０とトレッド面１ｃとの境界付近が、スクエアショルダーによって形成されている例を示す。各図において、矢印ＯＵＴは、指定された装着方向で車両にタイヤが装着された場合の外側を示している。
【００２２】
ラウンドショルダー１ａは、接地可能な面において段部のないショルダーを指し、子午線断面において、単一の円弧又は複数の円弧が連続する曲線、曲率半径を部分的に変化させた曲線などを有する形状が挙げられる。
【００２３】
段付きショルダー１ｂの段差部２０は、例えば平面や曲面で形成される。段差部２０の高さとしては、非接地部２３を円弧状に内側に延長した線を基準とする段差部２０とトレッド面１ｃとの境界２１の高さＨが、１〜１０ｍｍが好ましく、３〜８ｍｍがより好ましい。高さＨが１ｍｍより小さいと、段差部２０の外側を非接地部２３とするのが困難になる傾向がある。また、高さＨが１０ｍｍを超えると、トレッドゴム部の厚みを通常より厚く調整する必要が出てくるため、タイヤ重量や転がり抵抗が悪化する傾向がある。
【００２４】
スクエアショルダーで形成する場合の角部の曲率半径は、１．５〜１０ｍｍが好ましい。また、段差部２０と非接地部２３との境界付近曲率半径は、５〜２０ｍｍが好ましい。また、段差部２０の傾斜角度は、車軸法線方向に対して１０〜６０°が好ましい。
【００２５】
本発明では、段差部２０とトレッド面１ｃとの境界２１を、タイヤ最大幅Ｗを基準としたトレッド中央Ｃからの距離として、前輪装着条件におけるラウンドショルダー側の接地端ＴＥｉまでの距離Ｄ１の９３〜１１０％の距離Ｄ２に配置してあることを特徴とする。境界２１までの距離Ｄ１は、好ましくは９５〜１０５％、より好ましくは９５〜１００％である。境界２１までの距離Ｄ１が９３％未満であると、通常走行における接地面積が小さくなって、制動性能が低下する傾向があり、境界２１までの距離Ｄ１が１１０％を超えると、コーナリング時における接地面積の低減効果が小さくなって、車両の転覆防止性能を向上させにくくなる。
【００２６】
本発明では、図１に示すように、トレッド部１のトレッドゴム９が少なくとも２分割され、車両装着時の最も内側に配される内側トレッドゴム９ａの損失正接（ｔａｎδ）が、車両装着時の最も外側に配される外側トレッドゴム９ｂの損失正接（ｔａｎδ）より大きいことが好ましい。
【００２７】
より好ましくは、内側トレッドゴム９ａの損失正接が０．３０〜０．４０、特に０．３５〜０．４０の場合であり、外側トレッドゴム９ｂの損失正接が０．１０〜０．２０、特に０．１０〜０．１５の場合である。内側トレッドゴム９ａの損失正接が０．２５未満であると、トレッド全体のμ値が低くなり制動性能を維持することが困難になる傾向があり、０．４５を超えるとμ値が高くなりすぎ、転覆防止性能の向上が見られない傾向がある。また、外側トレッドゴム９ｂの損失正接が０．０９未満であると、μ値が低くなりすぎ制動性能が悪化する傾向があり、０．２５を超えると、μ値が高くなって、グリップ力の低下による車両の転覆防止効果が小さくなる傾向がある。
【００２８】
トレッド部１を形成するトレッドゴム９の原料としては、天然ゴム、スチレンブタジエンゴム（ＳＢＲ）、ブタジエンゴム（ＢＲ）、イソプレンゴム（ＩＲ）、ブチルゴム（ＩＩＲ）等が挙げられる。これらのゴムはカーボンブラックやシリカ等の充填材で補強されると共に、加硫剤、加硫促進剤、可塑剤、老化防止剤等が適宜配合される。
【００２９】
上記のように、従来のトレッドゴムより、損失正接が大きいものを得る場合、損失正接が大きいゴムの種類（例えばＮＲやＩＲ）を選択したり、可塑剤の量を増やしたり、カーボンブラックの粒子径を小さくなどすればよい。逆に、従来のトレッドゴムより、損失正接が小さいものを得る場合、損失正接が小さいゴムの種類（例えばＢＲやＳＢＲ）を選択したり、可塑剤の量を減らしたり、カーボンブラックの粒子径を大きくするなどすればよい。
【００３０】
トレッドゴム９のμ値は、ゴムの硬度によっても変化させることができ、ＪＩＳＡ硬度が大きいほどμ値も大きくなる。このため、損失正接の場合と同様の理由から、本発明では、内側トレッドゴム９ａのＪＩＳＡ硬度が、外側トレッドゴム９ｂのＪＩＳＡ硬度より大きいことが好ましい。より好ましくは、内側トレッドゴム９ａのＪＩＳＡ硬度が６０〜７５°の場合であり、外側トレッドゴム９ｂのＪＩＳＡ硬度が５０〜６０°の場合である。
【００３１】
本発明では、トレッド表面におけるトレッドゴム９の分割位置９ｃが、タイヤ最大幅Ｗを基準としたトレッド中央Ｃより外側に５ｍｍの位置から、段差部２０とトレッド面１ｃとの境界２１より内側に２０ｍｍの位置の範囲内に配置されることが好ましい。より好ましくは、トレッド中央Ｃより外側に１０ｍｍの位置から、段差部２０とトレッド面１ｃとの境界２１より内側に３０ｍｍの位置の範囲内に配置される場合である。分割位置９ｃがトレッド中央Ｃより外側に５ｍｍの位置より内側に配置されると、トレッド全体のμ値が低くなり制動性能を維持することが困難になる傾向があり、境界２１より内側に２０ｍｍの位置より外側に配置されると、グリップ力の低下による車両の転覆防止効果が小さくなる傾向がある。
【００３２】
分割位置９ｃは、溝内に配設してもよく、陸部表面に配設してもよい。また、トレッドゴム９の分割境界面は、傾斜していても車軸方向に垂直であってもよい。
【００３３】
本発明の空気入りタイヤは、例えば図３に示すような、トレッドパターンＴを備えるものであるが、トレッドパターンＴそのものは、全く限定されず、従来公知のパターンが何れも採用することができる。図示した例では、トレッドパターンＴは、タイヤ周方向ＰＤに延びる太い周方向溝１２と、細い周方向溝１４と備え、複数の傾斜溝１３とこれらを連通させる複数の連通溝１５とを備えている。
【００３４】
トレッドパターンＴの車両外側のショルダー部付近には、タイヤ周方向ＰＤに連続し、陸部の中間まで延びる複数の傾斜溝１３が形成された陸部が設けられ、その外側側壁として、段差部２０が設けられている。実線で描かれた楕円内が前輪装着条件における接地面を示している。
【００３５】
本発明の空気入りタイヤは、装着方向が指定されるタイプであるが、トレッドパターンの形状に応じて、同時に回転方向が指定されるタイヤであってもよい。
【００３６】
［他の実施形態］
（１）前述の実施形態では、トレッド部のトレッドゴムが少なくとも２分割される例を示したが、本発明におけるトレッド部は、内側と外側に分割されていないものでもよい。その場合、従来のトレッドゴムと同様の損失正接やμ値を有するものが使用される。
【００３７】
（２）前述の実施形態では、段差部とトレッド面との境界付近が、スクエアショルダーによって形成されている例を示したが、本発明では図４（ａ）〜（ｂ）に示すように、種々の形状によって段差部を設けることが可能である。
【００３８】
図４（ａ）に示すものは、緩やかな傾斜面によって段差部２０が形成されている例である。また、図４（ｂ）に示すものは、複数段からなる階段状の段差部２０が形成されている例である。
【００３９】
（３）前述の実施形態では、図３に示すトレッドパターンの例を示したが、段差部が形成される陸部としては、ブロック列、リブ、ラグなどいずれでもよい。また、段差部はトレッド中央からの距離Ｄ２が異なる位置に設けてよく、例えば、１ブロックごとに段差部の距離Ｄ２を変えることも可能である。その場合においても、何れか又は全部の段差部がトレッド中央からの距離として、前輪装着条件におけるラウンドショルダー側の接地端までの距離の９３〜１１０％の距離に配置してあることが好ましい。
【００４０】
（４）本発明では、コーナリング時の接地面積を更に小さくして車両の転覆防止性能をより向上させる目的で、ベルト層を覆うように設けられ、コードがタイヤ周方向に配列するベルト補強層を非対称構造にすることも可能である。その場合、ベルト層の車両装着時の外側端部には、内側端部と比較してより高剛性のベルト補強層が設けられる。ベルト補強層は、ベルト層の外側端部のみに設けてもよいが、ベルト層の全体に設けるのが好ましい。例えば、ベルト層の上面全体が下層のベルト補強層に覆われると共に、車両装着時の外側端部には更に上層のベルト補強層が設けられる場合が挙げられる。また、ベルト補強層の車両装着時の外側端部を３層以上の構造にしたり、ベルト補強層の外側端部のコードの打ち込み数を増やした構造、ベルト補強層の外側端部のコードの弾性率をより大きくした構造、ベルト補強層の外側端部のコードの太さ（フィラメント数や撚り糸数）をより大きくした構造、これらを組み合わせた構造などでもよい。
【実施例】
【００４１】
以下、本発明の構成と効果を具体的に示す実施例等について説明する。なお、実施例等における評価項目は下記のようにして測定を行った。
【００４２】
（１）損失正接（ｔａｎδ）
岩本製作所製スペクトロメーター試験機を用いて、初期伸長率１０％、動歪２％、温度６０℃、振動数１０Ｈｚの条件下で測定した。試験片には５ｍｍ幅×１ｍｍ厚の短冊状のものを用意し、つかみ長さを２０ｍｍとした。
【００４３】
（２）ＪＩＳＡ硬度
ＪＩＳＫ６２５３のデュロメータ硬さ試験（タイプＡ）による硬度を測定した。
【００４４】
（３）制動距離
後述する試作タイヤをリム（７−ＪＪ−１７）に組み付けた後、内圧２３０ｋＰａを充填し、実車（国産ステーションワゴン）に装着して、2名乗車の荷重条件でドライ路面を走行し、速度１００ｋｍ／ｈで走行した後にブレーキをかけて制動距離を測定した。制動性能は、従来品における制動距離を１００として指数で評価した。当該指数が大きいほど制動性能が良好であることを意味する。
【００４５】
（４）コーナリングフォースの最大値（ＣＦｍａｘ）
後述する試作タイヤをリム（７−ＪＪ−１７）に組み付けた後、内圧２３０ｋＰａを充填し、フラットベルト・コーナリング試験機を用いて、試験速度８０ｋｍ／ｈで、徐々に蛇角を大きくしていき、コーナリングフォースが最大になったときの値をＣＦｍａｘとした。その際、荷重条件は、前輪装着条件が荷重４５５０Ｎ、後輪装着条件が荷重２５５０Ｎとした。ＣＦｍａｘは、従来品における値を１００として指数で評価した。中心荷重ＣＦｍａｘ以外は、当該指数が大きいほど車両の転覆防止性能が良好であることを意味する。
【００４６】
従来品
図１に示す断面図において、内側のラウンドショルダー（ショルダー部の曲率半径３０ｍｍ）を外側にも採用して、トレッドゴムの分割は行わずに、損失正接０．２１、ＪＩＳＡ硬度６３のトレッドゴムによって、図３に示すパターン（但し、段差部を設けずに陸部を端部まで延長した）にてサイズ２１５／５５Ｒ１７の試作タイヤを作製し、評価した。その結果を表１に示す。
【００４７】
実施例１−１〜１−３
図１に示す断面図において、トレッドゴムの分割は行わずに、損失正接０．２１、ＪＩＳＡ硬度６３のトレッドゴムによって、図３に示すパターンにてサイズ２１５／５５Ｒ１７の試作タイヤを作製し、上記性能を評価した。その際、スクエアショルダーを曲率半径２ｍｍとし、トレッド面との境界位置を表１のように設定した（Ｄ１は、前輪装着条件におけるラウンドショルダー側の接地端までの距離を示す）。その結果を表１に示す。
【００４８】
比較例１−１〜１−２
図１に示す断面図において、トレッドゴムの分割は行わずに、損失正接０．２１、ＪＩＳＡ硬度６３のトレッドゴムによって、図３に示すパターンにてサイズ２１５／５５Ｒ１７の試作タイヤを作製し、上記性能を評価した。その際、スクエアショルダーを曲率半径２ｍｍとし、トレッド面との境界位置を表１のように、本発明の範囲から外れるように設定した。その結果を表１に示す。
【００４９】
比較例１−３
図１に示す断面図において、外側のスクエアショルダーを内側にも採用して、トレッドゴムの分割は行わずに、損失正接０．２１、ＪＩＳＡ硬度６３のトレッドゴムによって、図３に示すパターン（但し、Ｄ１に境界位置を有する両側対称な段差部を設けた）にてサイズ２１５／５５Ｒ１７の試作タイヤを作製し、評価した。その結果を表１に示す。
【００５０】
【表１】
2007331529.tif 000003
【００５１】
表１の結果が示すように、実施例の本発明の空気入りタイヤでは、制動性能を維持しながら、前輪荷重ＣＦｍａｘを低下させて、車両の転覆防止性能を向上させることができた。これに対して、スクエアショルダーの境界位置が内側過ぎる比較例１−１では、制動性能が低下した。また、スクエアショルダーの境界位置が外側過ぎる比較例１−２では、前輪荷重ＣＦｍａｘを低下させることができなかった。両側にスクエアショルダーを設けた比較例１−３では、制動性能が低下した。
【００５２】
実施例２−１〜２−４
図１に示す断面図において、トレッドゴムを表２に示す位置で分割し、図３に示すパターンにてサイズ２１５／５５Ｒ１７の試作タイヤを作製し、上記性能を評価した。その際、スクエアショルダーを曲率半径２ｍｍとし、トレッド面との境界位置を表２のように設定した。また、外側トレッドゴムの損失正接０．１１、ＪＩＳＡ硬度５５、内側トレッドゴムの損失正接０．３８、ＪＩＳＡ硬度６６とした。その結果を表２に示す。
【００５３】
比較例２−１〜２−４
図１に示す断面図において、トレッドゴムを表２に示す位置で分割し、図３に示すパターンにてサイズ２１５／５５Ｒ１７の試作タイヤを作製し、上記性能を評価した。その際、スクエアショルダーを曲率半径２ｍｍとした。また、トレッドゴムの分割位置を表２のように、本発明の範囲から外れるように設定し、外側トレッドゴムの損失正接０．１１、ＪＩＳＡ硬度５５、内側トレッドゴムの損失正接０．３８、ＪＩＳＡ硬度６６とした。その結果を表２に示す。
【００５４】
比較例２−５
実施例２−２において、分割したトレッドゴムの物性を内側と外側を逆転させたこと以外は、全く同じ条件で試作タイヤを作製し、上記性能を評価した。その結果を表２に示す。
【００５５】
【表２】
2007331529.tif 000004
【００５６】
表２の結果が示すように、実施例の本発明の空気入りタイヤでは、制動性能を維持しながら、前輪荷重ＣＦｍａｘを低下させて、かつ後輪荷重ＣＦｍａｘ／前輪荷重ＣＦｍａｘを向上させて、車両の転覆防止性能を向上させることができた。これに対して、トレッドゴムの分割位置が内側過ぎる比較例２−１及び２−３では、制動性能が低下した。また、トレッドゴムの分割位置が外側過ぎる比較例２−２及び２−４では、前輪荷重ＣＦｍａｘを低下させることができなかった。更に、分割したトレッドゴムの物性を内側と外側を逆転させた比較例２−５では、前輪荷重ＣＦｍａｘが上昇するなどして、車両の転覆防止性能が低下した。
【図面の簡単な説明】
【００５７】
【図１】本発明の空気入りタイヤの一例を示す子午線断面図
【図２】本発明の空気入りタイヤの作用効果を説明するための説明図
【図３】本発明の空気入りタイヤのトレッドパターンの一例を示す平面図
【図４】本発明の空気入りタイヤの要部の他の例を示す要部断面図
【符号の説明】
【００５８】
１    トレッド部
１ａ  ラウンドショルダー
１ｂ  段付きショルダー
１ｃ  トレッド面
２    サイドウォール部
３    ビード部
９    トレッドゴム
９ａ  内側トレッドゴム
９ｂ  外側トレッドゴム
９ｃ  分割位置
２０    段差部
２１    段差部とトレッド面の境界
２３    非接地部
Ｄ１    ラウンドショルダー側の接地端までの距離
Ｄ２    段差部の境界までの距離
ＴＥｉ  ラウンドショルダー側の接地端
Ｔ      トレッドパターン
ＰＤ    タイヤ周方向
Ｃ      トレッド中央
Ｗ      タイヤ最大幅
【図１】
2007331529.tif 000005
【図２】
2007331529.tif 000006
【図３】
2007331529.tif 000007
【図４】
2007331529.tif 000008